(57)【要約】      （修正有）【課題】複数の非球面と比較的高屈折率のレンズ材料を利用することで、歪曲収差を含め諸収差が良好に補正されながら、製造性に優れた広角レンズ系を提供する。【解決手段】物体側より順に、負の屈折力を有する第１レンズ群Ｇ１、１以上のレンズ群を含み、全体として正の屈折力を有する後続レンズ群ＧＲより構成され、変倍又は合焦に際して前記第１レンズ群Ｇ１と前記後続レンズ群ＧＲの空気間隔が変化し、前記第１レンズ群Ｇ１は、第１非球面を有するレンズと、前記第１非球面を有するレンズより像面側に配置される第２非球面を有するレンズを有し、前記第１レンズ群Ｇ１は、前記第２非球面より物体側に、負の屈折力を有するレンズを有し、前記第１レンズ群Ｇ１は、正の屈折力を有するレンズを有し、所定の条件式を満足することを特徴とする広角レンズ系とした。【選択図】図１
2018189733.tif 000002
【特許請求の範囲】
【請求項１】
物体側より順に、負の屈折力を有する第１レンズ群Ｇ１、１以上のレンズ群を含み、全体として正の屈折力を有する後続レンズ群ＧＲより構成され、
変倍又は合焦に際して前記第１レンズ群Ｇ１と前記後続レンズ群ＧＲの空気間隔が変化し、
前記第１レンズ群Ｇ１は、第１非球面ＳＡ１を有するレンズと、前記第１非球面ＳＡ１を有するレンズより像面側に配置される第２非球面ＳＡ２を有するレンズを有し、
前記第１非球面ＳＡ１は、レンズ中心に比べレンズ周辺部で正の屈折力が強くなる、もしくは負の屈折力が弱くなるような形状を有し、
前記第１レンズ群Ｇ１は、前記第２非球面ＳＡ２より物体側に、負の屈折力を有するレンズＬＳ１を有し、
前記第１レンズ群Ｇ１は、正の屈折力を有するレンズＬＳ２を有し、
以下の条件式を満足することを特徴とする広角レンズ系。
（１）ｎｄＬＳ１  ＞  １．９１
（２）ＤＳＡ２／ＤＧ１  ＜  ０．５２５
（３）ｎｄＬＳ２  ＞  １．７３
但し、
ｎｄＬＳ１：前記負の屈折力を有するレンズＬＳ１のｄ線に対する屈折率
ＤＳＡ２：無限遠物体合焦時における、前記第１レンズ群Ｇ１の最も物体側の面から前記第２非球面ＳＡ２までの距離
ＤＧ１：無限遠物体合焦時における、前記第１レンズ群Ｇ１のレンズ構成長
ｎｄＬＳ２：前記正の屈折力を有するレンズＬＳ２のｄ線に対する屈折率
【請求項２】
前記後続レンズ群ＧＲは開口絞りを有し、
レンズの材料のｄ線に対するアッベ数をｖｄ、ｇ線に対する部分分散比をθｇＦとし、異常分散性ΔθをΔθ＝θｇＦ−（０．６４８２８５−０．００１８０１２３×ｖｄ）とするとき、
以下の条件式を満足することを特徴とする請求項１に記載の広角レンズ系。
（４）μΔθ１  ＞  ０．０１０
（５）μΔθ２  ＞  ０．０１０
但し、
μΔθ１：前記第１レンズ群Ｇ１内で負の屈折力を持つレンズのΔθの平均値
μΔθ２：前記後続レンズ群ＧＲ内で前記開口絞りより像面側に配置された正の屈折力を持つレンズのΔθの平均値
【請求項３】
無限遠から近距離物体への合焦に際し、前記後続レンズ群ＧＲの一部が光軸方向に移動することを特徴とする請求項１又は請求項２に記載の広角レンズ系。
【請求項４】
以下の条件式を満足することを特徴とする請求項１乃至請求項３のいずれかに記載の広角レンズ系。
（６）−１．００  ＜  √（ｆｗ×ｆｔ）／ｆ１  ＜  −０．５０
但し、
ｆｗ：広角端における無限遠撮影時のレンズ全系の焦点距離
ｆｔ：望遠端における無限遠撮影時のレンズ全系の焦点距離
ｆ１：前記第１レンズ群Ｇ１の焦点距離
但し、光学系が変倍機能を有さない場合のｆｗ、ｆｔは無限遠撮影時のレンズ全系の焦点距離
【請求項５】
前記第１レンズ群Ｇ１は負の屈折力を持つレンズを４枚以上有し、その内３枚以上が物体側に凸の面を向けたメニスカスレンズであることを特徴とする請求項１乃至請求項４のいずれかに記載の広角レンズ系。
【請求項６】
前記後続レンズ群ＧＲは、接合面が物体側に凸面を向けており、かつ物体側の媒質の屈折率が像面側の媒質の屈折率より高いような接合レンズを２組以上有することを特徴とする請求項１乃至請求項５のいずれかに記載の広角レンズ系。
【請求項７】
前記後続レンズ群ＧＲは、その最も像面側のレンズが非球面を有することを特徴とする請求項１乃至請求項６のいずれかに記載の広角レンズ系。
【発明の詳細な説明】
【技術分野】
【０００１】
本発明は、デジタルカメラ、ビデオカメラや銀塩カメラ等に用いられるバックフォーカスが長く歪曲収差等の諸収差を十分補正した広角レンズ系に関するものである。
【背景技術】
【０００２】
近年デジタルカメラ等の高画素化に伴い、用いられる光学系に対して諸収差を厳しく補正することが求められるようになってきている。
【０００３】
また、風景や屋内撮影のために、広い画角を撮影できる機能に対する需要が存在する。
【０００４】
しかし、画面周辺まで高い解像力を有し、かつ画角が広い光学系は、歪曲収差などが悪化する傾向にある。
【０００５】
特許文献１において広画角を有しながら歪曲収差を補正した変倍光学系が提案されている。しかし特許文献１における変倍光学系は、一枚の非球面レンズに歪曲収差補正の効果を負担させているため、高次の非点収差が発生し、像面の急激な変化が発生しやすくなっている。
【０００６】
特許文献２において広画角を有しながら比較的小型な変倍光学系が提案されている。しかし特許文献２における変倍光学系は、歪曲収差の補正が必ずしも十分ではない。
【先行技術文献】
【特許文献】
【０００７】
【特許文献１】特開２０１４−１０２８６号公報
【特許文献２】特開２００７−９４１７４号公報
【発明の概要】
【発明が解決しようとする課題】
【０００８】
広画角を有する光学系では、負の歪曲収差が発生しやすく、非球面によってこれを補正しようとすると、非点収差が発生しやすくなり、また非球面の形状が基準となる球面の形状から大きく逸脱し、製造が困難になるという問題がある。
【０００９】
基準となる球面から大きくは変化しない形状の非球面により、非点収差の発生を抑えながら歪曲収差のみを補正しようとする場合、非球面の径が拡大するため、これもまた製造が困難になるという問題がある。
【００１０】
本発明は、複数の非球面と比較的高屈折率のレンズ材料を利用することで、歪曲収差を含め諸収差が良好に補正されながら、製造性に優れた広角レンズ系を提供する事を目的とする。
【課題を解決するための手段】
【００１１】
上記課題を解決するための手段である第１の発明は、物体側より順に、負の屈折力を有する第１レンズ群Ｇ１、１以上のレンズ群を含み、全体として正の屈折力を有する後続レンズ群ＧＲより構成され、変倍又は合焦に際して前記第１レンズ群Ｇ１と前記後続レンズ群ＧＲの空気間隔が変化し、前記第１レンズ群Ｇ１は、第１非球面ＳＡ１を有するレンズと、前記第１非球面ＳＡ１を有するレンズより像面側に配置される第２非球面ＳＡ２を有するレンズを有し、前記第１非球面ＳＡ１は、レンズ中心に比べレンズ周辺部で正の屈折力が強くなる、もしくは負の屈折力が弱くなるような形状を有し、前記第１レンズ群Ｇ１は、前記第２非球面ＳＡ２より物体側に、負の屈折力を有するレンズＬＳ１を有し、前記第１レンズ群Ｇ１は、正の屈折力を有するレンズＬＳ２を有し、以下の条件式を満足することを特徴とする広角レンズ系である。
（１）ｎｄＬＳ１  ＞  １．９１
（２）ＤＳＡ２／ＤＧ１  ＜  ０．５２５
（３）ｎｄＬＳ２  ＞  １．７３
但し、
ｎｄＬＳ１：前記負の屈折力を有するレンズＬＳ１のｄ線に対する屈折率
ＤＳＡ２：無限遠物体合焦時における、前記第１レンズ群Ｇ１の最も物体側の面から前記第２非球面ＳＡ２までの距離
ＤＧ１：無限遠物体合焦時における、前記第１レンズ群Ｇ１のレンズ構成長
ｎｄＬＳ２：前記正の屈折力を有するレンズＬＳ２のｄ線に対する屈折率
【００１２】
また、第２の発明は、第１の発明においてさらに、前記後続レンズ群ＧＲは開口絞りを有し、レンズの材料のｄ線に対するアッベ数をｖｄ、ｇ線に対する部分分散比をθｇＦとし、異常分散性ΔθをΔθ＝θｇＦ−（０．６４８２８５−０．００１８０１２３×ｖｄ）とするとき、以下の条件式を満足することを特徴とする広角レンズ系である。
（４）μΔθ１  ＞  ０．０１０
（５）μΔθ２  ＞  ０．０１０
但し、
μΔθ１：前記第１レンズ群Ｇ１内で負の屈折力を持つレンズのΔθの平均値
μΔθ２：前記後続レンズ群ＧＲ内で前記開口絞りより像面側に配置された正の屈折力を持つレンズのΔθの平均値
【００１３】
また、第３の発明は、第１又は第２の発明においてさらに、無限遠から近距離物体への合焦に際し、前記後続レンズ群ＧＲの一部が光軸方向に移動することを特徴とする広角レンズ系である。
【００１４】
また、第４の発明は、第１乃至第３のいずれかの発明においてさらに、以下の条件式を満足することを特徴とする広角レンズ系である。
（６）−１．００  ＜  √（ｆｗ×ｆｔ）／ｆ１  ＜  −０．５０
但し、
ｆｗ：広角端における無限遠撮影時のレンズ全系の焦点距離
ｆｔ：望遠端における無限遠撮影時のレンズ全系の焦点距離
ｆ１：前記第１レンズ群Ｇ１の焦点距離
但し、光学系が変倍機能を有さない場合のｆｗ、ｆｔは無限遠撮影時のレンズ全系の焦点距離
【００１５】
また、第５の発明は、第１乃至第４のいずれかの発明においてさらに、前記第１レンズ群Ｇ１は負の屈折力を持つレンズを４枚以上有し、その内３枚以上が物体側に凸の面を向けたメニスカスレンズであることを特徴とする広角レンズ系である。
【００１６】
また、第６の発明は、第１乃至第５のいずれかの発明においてさらに、前記後続レンズ群ＧＲは、接合面が物体側に凸面を向けており、かつ物体側の媒質の屈折率が像面側の媒質の屈折率より高いような接合レンズを２組以上有することを特徴とする広角レンズ系である。
【００１７】
また、第７の発明は、第１乃至第６のいずれかの発明においてさらに、前記後続レンズ群ＧＲは、その最も像面側のレンズが非球面を有することを特徴とする広角レンズ系である。
【発明の効果】
【００１８】
本発明によれば、複数の非球面と比較的高屈折率のレンズ材料を利用することで、歪曲収差を含め諸収差が良好に補正されながら、製造性に優れた広角レンズ系を提供することができる。
【図面の簡単な説明】
【００１９】
【図１】実施例１の変倍光学系の広角端の無限遠におけるレンズ断面図
【図２】実施例１の変倍光学系の広角端の無限遠における縦収差図
【図３】実施例１の変倍光学系の中間焦点距離の無限遠における縦収差図
【図４】実施例１の変倍光学系の望遠端の無限遠における縦収差図
【図５】実施例１の変倍光学系の広角端の無限遠における横収差図
【図６】実施例１の変倍光学系の中間焦点距離の無限遠における横収差図
【図７】実施例１の変倍光学系の望遠端の無限遠における横収差図
【図８】実施例２の変倍光学系の広角端の無限遠におけるレンズ断面図
【図９】実施例２の変倍光学系の広角端の無限遠における縦収差図
【図１０】実施例２の変倍光学系の中間焦点距離の無限遠における縦収差図
【図１１】実施例２の変倍光学系の望遠端の無限遠における縦収差図
【図１２】実施例２の変倍光学系の広角端の無限遠における横収差図
【図１３】実施例２の変倍光学系の中間焦点距離の無限遠における横収差図
【図１４】実施例２の変倍光学系の望遠端の無限遠における横収差図
【図１５】実施例３の変倍光学系の広角端の無限遠におけるレンズ断面図
【図１６】実施例３の変倍光学系の広角端の無限遠における縦収差図
【図１７】実施例３の変倍光学系の中間焦点距離の無限遠における縦収差図
【図１８】実施例３の変倍光学系の望遠端の無限遠における縦収差図
【図１９】実施例３の変倍光学系の広角端の無限遠における横収差図
【図２０】実施例３の変倍光学系の中間焦点距離の無限遠における横収差図
【図２１】実施例３の変倍光学系の望遠端の無限遠における横収差図
【図２２】実施例４の変倍光学系の広角端の無限遠におけるレンズ断面図
【図２３】実施例４の変倍光学系の広角端の無限遠における縦収差図
【図２４】実施例４の変倍光学系の中間焦点距離の無限遠における縦収差図
【図２５】実施例４の変倍光学系の望遠端の無限遠における縦収差図
【図２６】実施例４の変倍光学系の広角端の無限遠における横収差図
【図２７】実施例４の変倍光学系の中間焦点距離の無限遠における横収差図
【図２８】実施例４の変倍光学系の望遠端の無限遠における横収差図
【図２９】実施例５の変倍光学系の広角端の無限遠におけるレンズ断面図
【図３０】実施例５の変倍光学系の広角端の無限遠における縦収差図
【図３１】実施例５の変倍光学系の中間焦点距離の無限遠における縦収差図
【図３２】実施例５の変倍光学系の望遠端の無限遠における縦収差図
【図３３】実施例５の変倍光学系の広角端の無限遠における横収差図
【図３４】実施例５の変倍光学系の中間焦点距離の無限遠における横収差図
【図３５】実施例５の変倍光学系の望遠端の無限遠における横収差図
【図３６】実施例６の変倍光学系の広角端の無限遠におけるレンズ断面図
【図３７】実施例６の変倍光学系の広角端の無限遠における縦収差図
【図３８】実施例６の変倍光学系の中間焦点距離の無限遠における縦収差図
【図３９】実施例６の変倍光学系の望遠端の無限遠における縦収差図
【図４０】実施例６の変倍光学系の広角端の無限遠における横収差図
【図４１】実施例６の変倍光学系の中間焦点距離の無限遠における横収差図
【図４２】実施例６の変倍光学系の望遠端の無限遠における横収差図
【図４３】実施例７の変倍光学系の広角端の無限遠におけるレンズ断面図
【図４４】実施例７の変倍光学系の広角端の無限遠における縦収差図
【図４５】実施例７の変倍光学系の中間焦点距離の無限遠における縦収差図
【図４６】実施例７の変倍光学系の望遠端の無限遠における縦収差図
【図４７】実施例７の変倍光学系の広角端の無限遠における横収差図
【図４８】実施例７の変倍光学系の中間焦点距離の無限遠における横収差図
【図４９】実施例７の変倍光学系の望遠端の無限遠における横収差図
【図５０】実施例８の単焦点光学系の無限遠におけるレンズ断面図
【図５１】実施例８の単焦点光学系の無限遠における縦収差図
【図５２】実施例８の単焦点光学系の無限遠における横収差図
【図５３】実施例９の変倍光学系の広角端の無限遠におけるレンズ断面図
【図５４】実施例９の変倍光学系の広角端の無限遠における縦収差図
【図５５】実施例９の変倍光学系の中間焦点距離の無限遠における縦収差図
【図５６】実施例９の変倍光学系の望遠端の無限遠における縦収差図
【図５７】実施例９の変倍光学系の広角端の無限遠における横収差図
【図５８】実施例９の変倍光学系の中間焦点距離の無限遠における横収差図
【図５９】実施例９の変倍光学系の望遠端の無限遠における横収差図
【発明を実施するための形態】
【００２０】
以下に、本発明にかかる光学系の実施例について詳細に説明する。なお、以下の実施例の説明は本発明の変倍光学系の一例を説明したものであり、本発明はその要旨を逸脱しない範囲において本実施例に限定されるものではない。
【００２１】
本発明の広角レンズ系は、図１、図８、図１５、図２２、図２９、図３６、図４３、図５０、図５３に示すレンズ構成図からわかるように、物体側より順に、負の屈折力を有する第１レンズ群Ｇ１、１以上のレンズ群を含み、全体として正の屈折力を有する後続レンズ群ＧＲより構成され、変倍又は合焦に際して前記第１レンズ群Ｇ１と前記後続レンズ群ＧＲの空気間隔が変化し、前記第１レンズ群Ｇ１は、第１非球面ＳＡ１を有するレンズと、前記第１非球面ＳＡ１を有するレンズより像面側に配置される第２非球面ＳＡ２を有するレンズを有し、前記第１非球面ＳＡ１は、レンズ中心に比べレンズ周辺部で正の屈折力が強くなる、もしくは負の屈折力が弱くなるような形状を有し、前記第１レンズ群Ｇ１は、前記第２非球面ＳＡ２より物体側に、負の屈折力を持つレンズＬＳ１を有し、前記第１レンズ群Ｇ１は、正の屈折力を持つレンズＬＳ２を有する構成となっている。
【００２２】
本発明は歪曲収差を含め諸収差が良好に補正された広角レンズ系の提供を目的としており、物体側に配置されたレンズ群の群内で、特に歪曲収差を適切に補正することが重要となる。
【００２３】
前記第１レンズ群Ｇ１中に、レンズ中心に比べレンズ周辺部で正の屈折力が強くなる、もしくは負の屈折力が弱くなるような形状の非球面ＳＡ１を配置することで、前記第１レンズ群Ｇ１の負のパワーを持つ球面レンズで発生する負の歪曲収差を補正することができる。前記第１非球面ＳＡ１の像面側に第２非球面ＳＡ２を配置することで、前記第１非球面ＳＡ１のみでは補正しきれない歪曲収差のうねりや非点収差のうねりを補正することができる。前記第２非球面ＳＡ２の物体側に負の屈折力を持つレンズＬＳ１を配置することで、前記第１非球面ＳＡ１と前記第２非球面ＳＡ２で発生する非点収差を補正することができる。前記第１レンズ群Ｇ１中に、正の屈折力を持つレンズＬＳ２を配置することで、負の屈折力を持つレンズのみでは補正できない色収差などを補正することができる。
【００２４】
本発明の広角レンズ系は、以下の条件式を満足するよう構成されている。
（１） ｎｄＬＳ１  ＞  １．９１
（２） ＤＳＡ２／ＤＧ１  ＜  ０．５２５
（３） ｎｄＬＳ２  ＞  １．７３
【００２５】
ここでｎｄＬＳ１は前記負の屈折力を有するレンズＬＳ１のｄ線に対する屈折率、ＤＳＡ２は無限遠物体合焦時における、前記第１レンズ群Ｇ１の最も物体側の面から前記第２非球面ＳＡ２までの距離、ＤＧ１は無限遠物体合焦時における、前記第１レンズ群Ｇ１のレンズ構成長、ｎｄＬＳ２は前記正の屈折力を有するレンズＬＳ２のｄ線に対する屈折率である。
【００２６】
条件式（１）の下限値を越える場合、前記負の屈折力を有するレンズＬＳ１の屈折率が十分高くないため、ペッツヴァル和が増大して像面湾曲が悪化し、また前記第１非球面ＳＡ１で発生する非点収差を補正することが困難になる。
【００２７】
条件式（２）の上限値を超える場合、周辺像高に入射する光線が十分光軸から離れた位置で前記第２非球面ＳＡ２を通過することができず、前記第２非球面ＳＡ２に前記第１レンズ群Ｇ１の負のパワーを持つ球面レンズで発生する歪曲収差を補正する効果を持たせることが困難になる。前記第１非球面ＳＡ１のみに歪曲収差を補正する効果を負担させると、前記第１非球面ＳＡ１の径が拡大し、非点収差が悪化するため好ましくない。
【００２８】
条件式（３）の下限値を超える場合、前記正の屈折力を有するレンズＬＳ２により、前記第１レンズ群Ｇ１の負のパワーを持つレンズで発生する高次の歪曲収差を補正することが困難になる。
【００２９】
また、条件式（１）の下限値を１．９３にすることで、本発明の効果をより確実に達成することができる。
【００３０】
また、条件式（２）の上限値を０．５０にすることで、本発明の効果をより確実に達成することができる。
【００３１】
また、条件式（３）の下限値を１．７８にすることで、本発明の効果をより確実に達成することができる。
【００３２】
また本発明の広角レンズ系は、さらに前記後続レンズ群ＧＲが開口絞りを有し、レンズの材料のｄ線に対するアッベ数をｖｄ、ｇ線に対する部分分散比をθｇＦとし、異常分散性ΔθをΔθ＝θｇＦ−（０．６４８２８５−０．００１８０１２３×ｖｄ）とするとき、以下の条件式を満足することが望ましい。
（４） μΔθ１  ＞  ０．０１０
（５） μΔθ２  ＞  ０．０１０
【００３３】
ここでμΔθ１は前記第１レンズ群Ｇ１内で負の屈折力を持つレンズのΔθの平均値、μΔθ２は前記後続レンズ群ＧＲ内で前記開口絞りより像面側に配置された正の屈折力を持つレンズのΔθの平均値である。
【００３４】
開口絞りを前記第１レンズ群Ｇ１の内部に配置した場合、開口絞りを前記後続レンズ群ＧＲに配置した場合と比べ、射出瞳位置が物体側に位置する。そのため、前記後続レンズ群ＧＲにおいて周辺像高に入射する光線と光軸との距離が拡大し、結果前記後続レンズ群ＧＲの像面側のレンズの径が拡大し、レンズと受光部との連結や通信のための配線が困難になる。
【００３５】
条件式（４）の下限値を超える場合、前記第１レンズ群Ｇ１内でＣ線とＦ線の色消しを行うと、前記第１レンズ群Ｇ１内での２次の色消しが成立せず、ｇ線の倍率色収差を補正することが困難になる。
【００３６】
条件式（５）の下限値を超える場合、前記後続レンズ群ＧＲ内でＣ線とＦ線の色消しを行うと、前記後続レンズ群ＧＲ内での２次の色消しが成立せず、ｇ線の軸上色収差を補正することが困難になる。
【００３７】
また、条件式（４）の下限値を０．０１４にすることで、本発明の効果をより確実に達成することができる。
【００３８】
また、条件式（５）の下限値を０．０１４にすることで、本発明の効果をより確実に達成することができる。
【００３９】
また本発明の広角レンズ系は、無限遠から近距離物体への合焦に際し、前記後続レンズ群ＧＲの一部が光軸方向に移動することが望ましい。
【００４０】
前記第１レンズ群Ｇ１全体もしくはその一部を光軸方向に移動することで合焦する場合、前記第１レンズ群Ｇ１内部もしくはその像面側に移動のための空間を設ける必要が生じる。すると、前記第１レンズ群Ｇ１の最も物体側の面から入射瞳までの距離が拡大し、前記第１レンズ群Ｇ１を構成するレンズの径が拡大するため、好ましくない。前記後続レンズ群ＧＲ全体を光軸方向に移動することで合焦する場合、合焦の際移動する部分の重量が重くなり、迅速な合焦が困難になるため、好ましくない。
【００４１】
また本発明の広角レンズ系は、さらに、以下の条件式を満足することが望ましい。
（６）−１．００  ＜  √（ｆｗ×ｆｔ）／ｆ１  ＜  −０．５０
【００４２】
ここでｆｗは広角端における無限遠撮影時のレンズ全系の焦点距離、
ｆｔは望遠端における無限遠撮影時のレンズ全系の焦点距離、
ｆ１は前記第１レンズ群Ｇ１の焦点距離
である。ただし、光学系が変倍機能を有しない場合は、ｆｗとｆｔはともに無限遠撮影時のレンズ全系の焦点距離とする。
【００４３】
条件式（６）の上限値を超える場合、前記第１レンズ群Ｇ１の負の屈折力が弱くなり、広画角を維持しながら必要なバックフォーカスを維持することが困難になるため好ましくない。
【００４４】
条件式（６）の下限値を超える場合、前記第１レンズ群Ｇ１の負の屈折力が強くなり、歪曲収差などの諸収差の補正が困難になるほか、前記後続レンズ群に入射するマージナル光線と光軸との距離が拡大し、前記後続レンズ群を構成するレンズや絞りの径が拡大するため、好ましくない。
【００４５】
また、条件式（６）の下限値を−０．９０にすることで、本発明の効果をより確実に達成することができる。また、条件式（６）の上限値を−０．５５にすることで、本発明の効果をより確実に達成することができる。
【００４６】
また本発明の広角レンズ系は、前記第１レンズ群Ｇ１は負の屈折力を持つレンズを４枚以上有し、その内３枚以上が物体側に正の屈折力を有する面を向けたメニスカスレンズであることが望ましい。
【００４７】
前記第１レンズ群Ｇ１が負の屈折力を持つレンズを４枚以上有することで、広画角を維持しながら必要なバックフォーカスを維持することが容易となる。また、前記負の屈折力を持つレンズの内３枚以上が物体側に凸の面を向けたメニスカスレンズであることで、周辺像高に入射する光線の前記負の屈折力を持つレンズに入射する角度が垂直に近くなり、負の屈折力の面による歪曲収差の悪化を抑制することが容易となる。
【００４８】
また本発明の広角レンズ系は、前記後続レンズ群ＧＲが、接合面が物体側に凸面を向けており、かつ物体側の媒質の屈折率が像面側の媒質の屈折率より高いような接合レンズを２組以上有することが望ましい。
【００４９】
前記後続レンズ群ＧＲに、物体側に凸面を向けており、かつ物体側の媒質の屈折率が像面側の媒質の屈折率より高いような接合面を一面のみ配置した場合、コマ収差と球面収差のどちらか一方を補正すると他方の補正が困難になる。しかしこのような面を複数配置することで、コマ収差と球面収差をバランスよく補正することが容易となる。
【００５０】
また本発明の広角レンズ系は、前記後続レンズ群ＧＲの最も像面側のレンズが非球面を有することが望ましい。
【００５１】
前記後続レンズ群ＧＲの最も像面側のレンズに非球面を配置することで、軸上光束への非球面の影響を抑えながら周辺光束への効果を与えることが容易となり、球面収差への影響を抑えつつコマ収差や非点収差を補正することが容易となる。
【００５２】
次に、本発明の広角レンズ系に係る実施例のレンズ構成について説明する。なお、以下の説明ではレンズ構成を物体側から像面側の順番で記載する。また、実施例中のＬｎの表記は、物体側からｎ番目のレンズのことを示している。
【実施例１】
【００５３】
図１は、本発明の実施例１の広角レンズ系のレンズ構成図である。
【００５４】
実施例１は変倍光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、および正の屈折力の第３レンズ群Ｇ３から構成される。第２レンズ群Ｇ２と第３レンズ群Ｇ３の間には開口絞りが配置され、変倍の際開口絞りは第３レンズ群Ｇ３と一体に移動する。
【００５５】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、物体側に凸面を向けた負メニスカスレンズＬ４と、両凹レンズＬ５と両凸レンズＬ６からなる接合レンズとから構成されており、負メニスカスレンズＬ１の物体側のレンズ面および負メニスカスレンズＬ３の両側のレンズ面は所定の非球面形状となっている。
【００５６】
この構成において、本実施例におけるレンズＬＳ１およびＬＳ２は、それぞれ前記物体側に凸面を向けた負メニスカスレンズＬ２、前記両凸レンズＬ６となる。また、本実施例における非球面ＳＡ１およびＳＡ２は、それぞれ前記物体側に凸面を向けた負メニスカスレンズＬ１の物体側の面、前記物体側に凸面を向けた負メニスカスレンズＬ３の物体側の面となる。
【００５７】
第２レンズ群Ｇ２は、物体側から順に物体側に凸面を向けた負メニスカスレンズＬ７と物体側に凸面を向けた正メニスカスレンズＬ８からなる接合レンズと、両凸レンズＬ９と両凹レンズＬ１０からなる接合レンズとから構成されている。第２レンズ群Ｇ２は、無限遠物体距離から近距離へのフォーカシングに際して全体が像面側へ移動する。
【００５８】
第３レンズ群Ｇ３は、物体側から順に物体側に凸面を向けた負メニスカスレンズＬ１１と両凸レンズＬ１２と像面側に凸面を向けた負メニスカスレンズＬ１３の３枚からなる接合レンズと、両凸レンズＬ１４と、物体側に凸面を向けた負メニスカスレンズＬ１５と物体側に凸面を向けた正メニスカスレンズＬ１６からなる接合レンズと、像面側に凸面を向けた正メニスカスレンズＬ１７とから構成されており、正メニスカスレンズＬ１７の両側のレンズ面は所定の非球面形状となっている。
【００５９】
また、実施例１の広角レンズ系は、広角端から望遠端への変倍に際して、第１レンズ群Ｇ１と第２レンズ群Ｇ２との間隔が減少し、第２レンズ群Ｇ２と第３レンズ群Ｇ３との間隔が増大する。
【実施例２】
【００６０】
図８は、本発明の実施例２の広角レンズ系のレンズ構成図である。
【００６１】
実施例２は変倍光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、および正の屈折力の第３レンズ群Ｇ３から構成される。第２レンズ群Ｇ２と第３レンズ群Ｇ３の間には開口絞りが配置され、変倍の際開口絞りは第３レンズ群Ｇ３と一体に移動する。
【００６２】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、物体側に凸面を向けた負メニスカスレンズＬ４と、両凹レンズＬ５と物体側に凸面を向けた正メニスカスレンズＬ６からなる接合レンズとから構成されており、負メニスカスレンズＬ１の物体側のレンズ面および負メニスカスレンズＬ３の両側のレンズ面は所定の非球面形状となっている。
【００６３】
この構成において、本実施例におけるレンズＬＳ１およびＬＳ２は、それぞれ前記物体側に凸面を向けた負メニスカスレンズＬ２、前記物体側に凸面を向けた正メニスカスレンズＬ６となる。また、本実施例における非球面ＳＡ１およびＳＡ２は、それぞれ前記物体側に凸面を向けた負メニスカスレンズＬ１の物体側の面、前記物体側に凸面を向けた負メニスカスレンズＬ３の物体側の面となる。
【００６４】
第２レンズ群Ｇ２は、物体側から順に物体側に凸面を向けた負メニスカスレンズＬ７と物体側に凸面を向けた正メニスカスレンズＬ８からなる接合レンズと、両凸レンズＬ９と両凹レンズＬ１０からなる接合レンズとから構成されている。第２レンズ群Ｇ２は、無限遠物体距離から近距離へのフォーカシングに際して全体が像面側へ移動する。
【００６５】
第３レンズ群Ｇ３は、物体側から順に物体側に凸面を向けた負メニスカスレンズＬ１１と両凸レンズＬ１２と像面側に凸面を向けた負メニスカスレンズＬ１３の３枚からなる接合レンズと、両凸レンズＬ１４と、物体側に凸面を向けた負メニスカスレンズＬ１５と物体側に凸面を向けた正メニスカスレンズＬ１６からなる接合レンズと、像面側に凸面を向けた正メニスカスレンズＬ１７とから構成されており、正メニスカスレンズＬ１７の両側のレンズ面は所定の非球面形状となっている。
【００６６】
また、実施例２の広角レンズ系は、広角端から望遠端への変倍に際して、第１レンズ群Ｇ１と第２レンズ群Ｇ２との間隔が減少し、第２レンズ群Ｇ２と第３レンズ群Ｇ３との間隔が増大する。
【実施例３】
【００６７】
図１５は、本発明の実施例３の広角レンズ系のレンズ構成図である。
【００６８】
実施例３は変倍光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、および正の屈折力の第３レンズ群Ｇ３から構成される。
【００６９】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、物体側に凸面を向けた負メニスカスレンズＬ４と、両凹レンズＬ５と物体側に凸面を向けた正メニスカスレンズＬ６からなる接合レンズとから構成されており、負メニスカスレンズＬ１の物体側のレンズ面および負メニスカスレンズＬ３の両側のレンズ面は所定の非球面形状となっている。
【００７０】
この構成において、本実施例におけるレンズＬＳ１およびＬＳ２は、それぞれ前記物体側に凸面を向けた負メニスカスレンズＬ２、前記物体側に凸面を向けた正メニスカスレンズＬ６となる。また、本実施例における非球面ＳＡ１およびＳＡ２は、それぞれ前記物体側に凸面を向けた負メニスカスレンズＬ１の物体側の面、前記物体側に凸面を向けた負メニスカスレンズＬ３の物体側の面となる。
【００７１】
第２レンズ群Ｇ２は、物体側から順に物体側に凸面を向けた負メニスカスレンズＬ７と物体側に凸面を向けた正メニスカスレンズＬ８からなる接合レンズと、両凸レンズＬ９と両凹レンズＬ１０からなる接合レンズとから構成されている。第２レンズ群Ｇ２は、無限遠物体距離から近距離へのフォーカシングに際して全体が像面側へ移動する。物体側に凸面を向けた正メニスカスレンズＬ８と両凸レンズＬ９の間には開口絞りが配置され、変倍とフォーカシングの際開口絞りは第２レンズ群Ｇ２と一体に移動する。
【００７２】
第３レンズ群Ｇ３は、物体側から順に物体側に凸面を向けた負メニスカスレンズＬ１１と物体側に凸面を向けた正メニスカスレンズＬ１２からなる接合レンズと、両凸レンズＬ１３と、物体側に凸面を向けた負メニスカスレンズＬ１４と両凸レンズＬ１５からなる接合レンズとから構成されており、両凸レンズＬ１５の像面側のレンズ面は所定の非球面形状となっている。
【００７３】
また、実施例３の広角レンズ系は、広角端から望遠端への変倍に際して、第１レンズ群Ｇ１と第２レンズ群Ｇ２との間隔が減少し、第２レンズ群Ｇ２と第３レンズ群Ｇ３との間隔が増大する。
【実施例４】
【００７４】
図２２は、本発明の実施例４の広角レンズ系のレンズ構成図である。
【００７５】
実施例４は変倍光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、正の屈折力の第３レンズ群Ｇ３、および正の屈折力の第４レンズ群Ｇ４から構成される。第２レンズ群Ｇ２と第３レンズ群Ｇ３の間には開口絞りが配置され、変倍の際開口絞りは第３レンズ群Ｇ３と一体に移動する。
【００７６】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、両凹レンズＬ４と、両凹レンズＬ５と両凸レンズＬ６からなる接合レンズとから構成されており、負メニスカスレンズＬ１の物体側のレンズ面および負メニスカスレンズＬ３の両側のレンズ面は所定の非球面形状となっている。
【００７７】
この構成において、本実施例におけるレンズＬＳ１およびＬＳ２は、それぞれ前記物体側に凸面を向けた負メニスカスレンズＬ２、両凸レンズＬ６となる。また、本実施例における非球面ＳＡ１およびＳＡ２は、それぞれ前記物体側に凸面を向けた負メニスカスレンズＬ１の物体側の面、前記物体側に凸面を向けた負メニスカスレンズＬ３の物体側の面となる。
【００７８】
第２レンズ群Ｇ２は、物体側から順に物体側に凸面を向けた負メニスカスレンズＬ７と物体側に凸面を向けた正メニスカスレンズＬ８からなる接合レンズから構成されている。第２レンズ群Ｇ２は、無限遠物体距離から近距離へのフォーカシングに際して全体が像面側へ移動する。
【００７９】
第３レンズ群Ｇ３は、物体側から順に物体側に凸面を向けた負メニスカスレンズＬ９と物体側に凸面を向けた正メニスカスレンズＬ１０からなる接合レンズから構成されている。
【００８０】
第４レンズ群Ｇ４は、物体側から順に両凸レンズＬ１１と像面側に凸面を向けた負メニスカスレンズＬ１２からなる接合レンズと、両凸レンズＬ１３と、両凹レンズＬ１４と両凸レンズＬ１５からなる接合レンズとから構成されており、両凸レンズＬ１５の像面側のレンズ面は所定の非球面形状となっている。
【００８１】
また、実施例４の広角レンズ系は、広角端から望遠端への変倍に際して、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が途中まで減少したのち増大する。
【実施例５】
【００８２】
図２９は、本発明の実施例５の広角レンズ系のレンズ構成図である。
【００８３】
実施例５は変倍光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、および正の屈折力の第３レンズ群Ｇ３から構成される。第２レンズ群Ｇ２と第３レンズ群Ｇ３の間には開口絞りが配置され、変倍の際開口絞りは第３レンズ群Ｇ３と一体に移動する。
【００８４】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、両凹レンズＬ４と両凸レンズＬ５からなる接合レンズとから構成されており、負メニスカスレンズＬ２の物体側のレンズ面および負メニスカスレンズＬ３の両側のレンズ面は所定の非球面形状となっている。
【００８５】
この構成において、本実施例からにおけるレンズＬＳ１およびＬＳ２は、それぞれ前記物体側に凸面を向けた負メニスカスレンズＬ１、両凸レンズＬ５となる。また、本実施例における非球面ＳＡ１およびＳＡ２は、それぞれ前記物体側に凸面を向けた負メニスカスレンズＬ２の物体側の面、前記物体側に凸面を向けた負メニスカスレンズＬ３の物体側の面となる。
【００８６】
第２レンズ群Ｇ２は、物体側から順に物体側に凸面を向けた負メニスカスレンズＬ６と両凸レンズＬ７からなる接合レンズと、両凸レンズＬ８と両凹レンズＬ９からなる接合レンズとから構成されている。第２レンズ群Ｇ２は、無限遠物体距離から近距離へのフォーカシングに際して全体が像面側へ移動する。
【００８７】
第３レンズ群Ｇ３は、物体側から順に両凸レンズＬ１０と像面側に凸面を向けた負メニスカスレンズＬ１１からなる接合レンズと、物体側に凸面を向けた負メニスカスレンズＬ１２と物体側に凸面を向けた正メニスカスレンズＬ１３からなる接合レンズと、両凸レンズＬ１４と、両凹レンズＬ１５と両凸レンズＬ１６からなる接合レンズとから構成されており、両凸レンズＬ１６の像面側のレンズ面は所定の非球面形状となっている。
【００８８】
また、実施例５の広角レンズ系は、広角端から望遠端への変倍に際して、第１レンズ群Ｇ１と第２レンズ群Ｇ２との間隔が減少し、第２レンズ群Ｇ２と第３レンズ群Ｇ３との間隔が増大する。
【実施例６】
【００８９】
図３６は、本発明の実施例６の広角レンズ系のレンズ構成図である。
【００９０】
実施例６は変倍光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、および正の屈折力の第３レンズ群Ｇ３から構成される。第２レンズ群Ｇ２と第３レンズ群Ｇ３の間には開口絞りが配置され、変倍の際開口絞りは第３レンズ群Ｇ３と一体に移動する。
【００９１】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、物体側に凸面を向けた負メニスカスレンズＬ４と、両凹レンズＬ５と両凸レンズＬ６からなる接合レンズとから構成されており、負メニスカスレンズＬ１の像面側のレンズ面および負メニスカスレンズＬ３の両側のレンズ面は所定の非球面形状となっている。
【００９２】
この構成において、本実施例におけるレンズＬＳ１およびＬＳ２は、それぞれ前記物体側に凸面を向けた負メニスカスレンズＬ２、前記両凸レンズＬ６となる。また、本実施例における非球面ＳＡ１およびＳＡ２は、それぞれ前記物体側に凸面を向けた負メニスカスレンズＬ１の像面側の面、前記物体側に凸面を向けた負メニスカスレンズＬ３の物体側の面となる。
【００９３】
第２レンズ群Ｇ２は、物体側から順に物体側に凸面を向けた負メニスカスレンズＬ７と物体側に凸面を向けた正メニスカスレンズＬ８からなる接合レンズと、両凸レンズＬ９と両凹レンズＬ１０からなる接合レンズとから構成されている。第２レンズ群Ｇ２は、無限遠物体距離から近距離へのフォーカシングに際して全体が像面側へ移動する。
【００９４】
第３レンズ群Ｇ３は、物体側から順に物体側に凸面を向けた負メニスカスレンズＬ１１と両凸レンズＬ１２と像面側に凸面を向けた負メニスカスレンズＬ１３の３枚からなる接合レンズと、両凸レンズＬ１４と、物体側に凸面を向けた負メニスカスレンズＬ１５と物体側に凸面を向けた正メニスカスレンズＬ１６からなる接合レンズと、像面側に凸面を向けた正メニスカスレンズＬ１７とから構成されており、正メニスカスレンズＬ１７の両側のレンズ面は所定の非球面形状となっている。
【００９５】
また、実施例６の広角レンズ系は、広角端から望遠端への変倍に際して、第１レンズ群Ｇ１と第２レンズ群Ｇ２との間隔が減少し、第２レンズ群Ｇ２と第３レンズ群Ｇ３との間隔が増大する。
【実施例７】
【００９６】
図４３は、本発明の実施例７の広角レンズ系のレンズ構成図である。
【００９７】
実施例７は変倍光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、および正の屈折力の第３レンズ群Ｇ３から構成される。第２レンズ群Ｇ２と第３レンズ群Ｇ３の間には開口絞りが配置され、変倍の際開口絞りは第３レンズ群Ｇ３と一体に移動する。
【００９８】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、物体側に凸面を向けた負メニスカスレンズＬ４と、両凹レンズＬ５と物体側に凸面を向けた正メニスカスレンズＬ６からなる接合レンズとから構成されており、負メニスカスレンズＬ１の物体側のレンズ面および負メニスカスレンズＬ３の両側のレンズ面は所定の非球面形状となっている。
【００９９】
この構成において、本実施例におけるレンズＬＳ１およびＬＳ２は、それぞれ前記物体側に凸面を向けた負メニスカスレンズＬ２、前記物体側に凸面を向けた正メニスカスレンズＬ６となる。また、本実施例における非球面ＳＡ１およびＳＡ２は、それぞれ前記物体側に凸面を向けた負メニスカスレンズＬ１の物体側の面、前記物体側に凸面を向けた負メニスカスレンズＬ３の物体側の面となる。
【０１００】
第２レンズ群Ｇ２は、物体側から順に物体側に凸面を向けた負メニスカスレンズＬ７と物体側に凸面を向けた正メニスカスレンズＬ８からなる接合レンズと、両凸レンズＬ９と両凹レンズＬ１０からなる接合レンズとから構成されている。第２レンズ群Ｇ２は、無限遠物体距離から近距離へのフォーカシングに際して全体が像面側へ移動する。
【０１０１】
第３レンズ群Ｇ３は、物体側から順に物体側に凸面を向けた負メニスカスレンズＬ１１と両凸レンズＬ１２からなる接合レンズと、像面側に凸面を向けた正メニスカスレンズＬ１３と像面側に凸面を向けた負メニスカスレンズＬ１４からなる接合レンズと、両凸レンズＬ１５と、両凹レンズＬ１６と両凸レンズＬ１７からなる接合レンズとから構成されており、両凸レンズＬ１７の像面側のレンズ面は所定の非球面形状となっている。像面側に凸面を向けた正メニスカスレンズＬ１３と像面側に凸面を向けた負メニスカスレンズＬ１４からなる接合レンズを光軸と直交する方向に変位させることにより手振れ補正を行うことができる。
【０１０２】
また、実施例７の広角レンズ系は、広角端から望遠端への変倍に際して、第１レンズ群Ｇ１と第２レンズ群Ｇ２との間隔が減少し、第２レンズ群Ｇ２と第３レンズ群Ｇ３との間隔が増大する。
【実施例８】
【０１０３】
図５０は、本発明の実施例８の広角レンズ系のレンズ構成図である。
【０１０４】
実施例８は単焦点光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、および正の屈折力の第３レンズ群Ｇ３から構成される。第２レンズ群Ｇ２と第３レンズ群Ｇ３の間には開口絞りが配置され、フォーカシングの際開口絞りは固定される。
【０１０５】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、両凹レンズＬ４と、両凹レンズＬ５と両凸レンズＬ６からなる接合レンズとから構成されており、負メニスカスレンズＬ１の物体側のレンズ面および負メニスカスレンズＬ３の両側のレンズ面は所定の非球面形状となっている。
【０１０６】
この構成において、本実施例におけるレンズＬＳ１およびＬＳ２は、それぞれ前記物体側に凸面を向けた負メニスカスレンズＬ２、前記両凸レンズＬ６となる。また、本実施例における非球面ＳＡ１およびＳＡ２は、それぞれ前記物体側に凸面を向けた負メニスカスレンズＬ１の物体側の面、前記物体側に凸面を向けた負メニスカスレンズＬ３の物体側の面となる。
【０１０７】
第２レンズ群Ｇ２は、物体側から順に物体側に凸面を向けた負メニスカスレンズＬ７と両凸レンズＬ８からなる接合レンズと、両凸レンズＬ９と両凹レンズＬ１０からなる接合レンズとから構成されている。第２レンズ群Ｇ２は、無限遠物体距離から近距離へのフォーカシングに際して全体が像面側へ移動する。
【０１０８】
第３レンズ群Ｇ３は、物体側から順に物体側に凸面を向けた負メニスカスレンズＬ１１と両凸レンズＬ１２と像面側に凸面を向けた負メニスカスレンズＬ１３の３枚からなる接合レンズと、両凸レンズＬ１４と、物体側に凸面を向けた負メニスカスレンズＬ１５と物体側に凸面を向けた正メニスカスレンズＬ１６からなる接合レンズと、像面側に凸面を向けた正メニスカスレンズＬ１７とから構成されており、正メニスカスレンズＬ１７の両側のレンズ面は所定の非球面形状となっている。
【実施例９】
【０１０９】
図５３は、本発明の実施例９の広角レンズ系のレンズ構成図である。
【０１１０】
実施例９は変倍光学系であり、物体側から順に、負の屈折力の第１レンズ群Ｇ１、および全体として正の屈折力の後続レンズ群ＧＲから構成され、後続レンズ群ＧＲは、物体側から順に、正の屈折力の第２レンズ群Ｇ２、および正の屈折力の第３レンズ群Ｇ３から構成される。第２レンズ群Ｇ２と第３レンズ群Ｇ３の間には開口絞りが配置され、変倍の際開口絞りは第３レンズ群Ｇ３と一体に移動し、フォーカシングの際は固定となる。
【０１１１】
第１レンズ群Ｇ１は、物体側から順に物体側に凸面を向けた負メニスカスレンズＬ１と、物体側に凸面を向けた負メニスカスレンズＬ２と、物体側に凸面を向けた負メニスカスレンズＬ３と、物体側に凸面を向けた負メニスカスレンズＬ４と、両凹レンズＬ５と両凸レンズＬ６からなる接合レンズとから構成されており、負メニスカスレンズＬ１の物体側のレンズ面および負メニスカスレンズＬ３の両側のレンズ面は所定の非球面形状となっている。
【０１１２】
この構成において、本実施例におけるレンズＬＳ１およびＬＳ２は、それぞれ前記物体側に凸面を向けた負メニスカスレンズＬ２、前記両凸レンズＬ６となる。また、本実施例における非球面ＳＡ１およびＳＡ２は、それぞれ前記物体側に凸面を向けた負メニスカスレンズＬ１の物体側の面、前記物体側に凸面を向けた負メニスカスレンズＬ３の物体側の面となる。
【０１１３】
第２レンズ群Ｇ２は、物体側から順に物体側に凸面を向けた負メニスカスレンズＬ７と両凸レンズＬ８からなる接合レンズから構成されている。
【０１１４】
第３レンズ群Ｇ３は、物体側から順に両凸レンズＬ９と両凹レンズＬ１０からなる接合レンズと、両凸レンズＬ１１と像面側に凸面を向けた負メニスカスレンズＬ１２からなる接合レンズと、物体側に凸面を向けた負メニスカスレンズＬ１３と両凸レンズＬ１４からなる接合レンズと、両凹レンズＬ１５と両凸レンズＬ１６からなる接合レンズとから構成されており、両凸レンズＬ１６の像面側のレンズ面は所定の非球面形状となっている。両凸レンズＬ９と両凹レンズＬ１０からなる接合レンズは、無限遠物体距離から近距離へのフォーカシングに際して全体が物体側へ移動する。
【０１１５】
また、実施例９の光学系は、広角端から望遠端への変倍に際して、第１レンズ群Ｇ１と第２レンズ群Ｇ２との間隔が減少し、第２レンズ群Ｇ２と第３レンズ群Ｇ３との間隔が増大する。
【０１１６】
次に、本発明の広角レンズ系に係る実施例の数値実施例と条件式対応値について説明する。
【０１１７】
［面データ］において、面番号は物体側から数えたレンズ面又は開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数、θｇＦはｇ線（波長４３５．８４ｎｍ）とＦ線（波長４８６．１３ｎｍ）の部分分散比を示している。
【０１１８】
面番号に付した＊（アスタリスク）は、そのレンズ面形状が非球面であることを示している。
【０１１９】
面番号に付した（絞り）は、その位置に開口絞りが位置していることを示している。平面又は開口絞りに対する曲率半径には∞（無限大）を記入している。
【０１２０】
［非球面データ］には、［面データ］において＊を付したレンズ面の非球面形状を与える各係数の値を示している。非球面の形状は、下記の式で表される。以下の式において、光軸に直交する方向への光軸からの変位をｙ、非球面と光軸の交点から光軸方向への変位（サグ量）をｚ、基準球面の曲率半径をｒ、コーニック係数をＫで表している。また、３、４、５、６、７、８、９、１０、１１、１２、１３、１４、１５、１６次の非球面係数をそれぞれＡ３、Ａ４、Ａ５、Ａ６、Ａ７、Ａ８、Ａ９、Ａ１０、Ａ１１、Ａ１２、Ａ１３、Ａ１４、Ａ１５、Ａ１６で表している。
【０１２１】
2018189733.tif 000003
【０１２２】
［各種データ］には、ズーム比及び各焦点距離状態における焦点距離等の値を示している。
【０１２３】
［可変間隔データ］には、各焦点距離状態における可変間隔及びＢＦの値を示している。
【０１２４】
［レンズ群データ］には、各レンズ群を構成する最も物体側の面番号及び群全体の合成焦点距離を示している。
【０１２５】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１２６】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１２７】
数値実施例1
単位：mm
[面データ]
面番号        r               d              nd             vd            θgF
1*        103.2579         3.9000        1.69350          53.18         0.5482
2          30.9115         8.0372
3          40.7164         2.7500        2.00100          29.13         0.5994
4          23.7204         9.2439
5*         55.7625         2.0500        1.58913          61.25         0.5373
6*         28.3734         6.7015
7          82.8041         1.4000        1.55032          75.50         0.5400
8          45.0874         7.5827
9         -77.7055         1.5463        1.43700          95.10         0.5334
10          36.4668         6.1330        1.90043          37.37         0.5772
11        -775.0963            d11
12          57.6150         0.8000        1.92286          20.88         0.6388
13          21.7173         4.5092        1.72047          34.71         0.5834
14         178.1154         0.1500
15          41.7845         6.1027        1.85478          24.80         0.6122
16         -34.1098         0.8000        1.87071          40.73         0.5682
17          90.6372            d17
18(絞り)         ∞         1.2451
19          61.7430         1.6529        1.83481          42.72         0.5648
20          22.4609         8.7241        1.43700          95.10         0.5334
21         -22.4609         0.9000        1.88300          40.80         0.5654
22         -54.0822         0.1500
23          30.5430         6.6588        1.43700          95.10         0.5334
24         -38.9423         0.1500
25          33.4494         0.9000        1.88300          40.80         0.5654
26          17.2295         5.1983        1.49700          81.61         0.5388
27          40.7628         3.0166
28*        -59.7876         2.5013        1.55332          71.68         0.5402
29*        -33.3434             BF
像面             ∞
[非球面データ]
1面            5面           6面           28面          29面
K    0.00000E+00    0.00000E+00    0.00000E+00    0.00000E+00    0.00000E+00
A3    0.00000E+00    1.93222E-04    1.94996E-04    0.00000E+00    0.00000E+00
A4    6.55174E-06   -3.68159E-05   -2.79917E-05    2.90946E-06    1.29160E-05
A5    0.00000E+00    5.25855E-06    3.65169E-06    0.00000E+00    0.00000E+00
A6   -5.95250E-09   -6.73333E-07   -2.89294E-07    2.52437E-07    2.41692E-07
A7    0.00000E+00    9.17837E-08    5.54599E-08    0.00000E+00    0.00000E+00
A8    5.79271E-12   -6.28671E-09   -4.95413E-09   -2.81316E-09   -2.80692E-09
A9    0.00000E+00    3.30188E-11    4.32334E-12    0.00000E+00    0.00000E+00
A10   -2.88620E-15    1.65903E-11    1.90161E-11    1.11245E-11    1.94763E-11
A11    0.00000E+00   -7.27135E-13   -8.89540E-13    0.00000E+00    0.00000E+00
A12    6.61914E-19    8.86930E-15    1.29484E-14    5.16896E-14   -6.96686E-14
A13    0.00000E+00   -2.15003E-17    5.98468E-17    0.00000E+00    0.00000E+00
A14    0.00000E+00   -9.32433E-19   -2.64408E-18   -7.20468E-16    1.18168E-17
A15    0.00000E+00    2.26985E-19   -2.71372E-19    0.00000E+00    0.00000E+00
A16    0.00000E+00   -5.26081E-21    1.09024E-20    1.89635E-18    2.99920E-19
[各種データ]
ズーム比              1.60
広角           中間           望遠
焦点距離             14.50          17.98          23.15
Fナンバー              2.93           2.93           2.93
全画角2ω            112.80         100.18          85.54
像高Y               21.63          21.63          21.63
レンズ全長         169.4000       161.7150       157.9000
[可変間隔データ]          広角           中間           望遠
撮影距離                ∞            ∞            ∞
d11               29.2621        15.3732         2.3000
d17                8.4844         9.0291         9.7754
BF               38.8500        44.5092        53.0211
[レンズ群データ]
群            始面            焦点距離
G1              1             -25.2907
G2             12              72.5361
G3             18              55.0724
【０１２８】
数値実施例2
単位：mm
[面データ]
面番号        r              d             nd            vd           θgF
1*        178.6965        3.9000       1.69350         53.18        0.5482
2          30.0719        8.3324
3          41.8391        1.8000       2.05090         26.94        0.6052
4          24.0638        5.4561
5*         29.9409        2.0500       1.49710         81.56        0.5383
6*         25.1366        7.7375
7          63.6471        1.4000       1.59282         68.63        0.5441
8          41.6549        8.8475
9         -63.4857        1.2000       1.43700         95.10        0.5334
10          38.6761        5.8157       1.95375         32.32        0.5901
11        1268.5625           d11
12          73.6018        0.8000       1.94595         17.98        0.6544
13          24.1377        4.8632       1.73800         32.26        0.5899
14        1313.4616        0.1500
15          41.9868        6.1589       1.84666         23.78        0.6191
16         -32.0770        0.8000       1.88300         40.80        0.5654
17          85.3220           d17
18(絞り)         ∞        1.2117
19          62.2557        0.9000       1.69680         55.46        0.5425
20          23.2172        9.5381       1.43700         95.10        0.5334
21         -23.5276        0.9000       1.90043         37.37        0.5772
22         -49.8321        0.1500
23          31.3446        6.9764       1.43700         95.10        0.5334
24         -41.5116        0.1500
25          63.1827        0.9000       1.88300         40.80        0.5654
26          15.9998        6.3583       1.59282         68.63        0.5441
27          68.0035        2.2216
28*        -96.4738        2.7521       1.55332         71.68        0.5402
29*        -40.7662            BF
像面             ∞
[非球面データ]
2面            5面           6面           28面          29面
K    0.00000E+00    0.00000E+00    0.00000E+00    0.00000E+00    0.00000E+00
A3    0.00000E+00    2.96739E-04    2.98889E-04    0.00000E+00    0.00000E+00
A4    8.75270E-06   -1.21633E-05    7.34290E-07    9.86827E-07    7.33963E-06
A5    0.00000E+00    2.47525E-06    8.78025E-07    0.00000E+00    0.00000E+00
A6   -7.81588E-09   -6.84843E-07   -3.22250E-07    3.23911E-08    1.87568E-08
A7    0.00000E+00    9.27811E-08    5.50428E-08    0.00000E+00    0.00000E+00
A8    7.60596E-12   -6.39586E-09   -4.66868E-09    1.55391E-10    2.16524E-10
A9    0.00000E+00    4.75139E-11   -5.79075E-13    0.00000E+00    0.00000E+00
A10   -4.15050E-15    1.69042E-11    1.90448E-11   -1.07350E-11   -1.00159E-11
A11    0.00000E+00   -7.33940E-13   -8.47097E-13    0.00000E+00    0.00000E+00
A12    1.01459E-18    8.20926E-15    1.38425E-14    1.51732E-14    3.26064E-14
A13    0.00000E+00   -3.91790E-17   -3.38171E-17    0.00000E+00    0.00000E+00
A14    0.00000E+00   -1.90181E-18   -8.83385E-18    4.36145E-16    1.36432E-16
A15    0.00000E+00    2.60532E-19   -3.42891E-19    0.00000E+00    0.00000E+00
A16    0.00000E+00   -3.99845E-21    2.37088E-20   -2.26779E-18   -1.01953E-18
[各種データ]
ズーム比              1.73
広角          中間          望遠
焦点距離             14.50         18.96         25.10
Fナンバー              2.93          2.93          2.93
全画角2ω            112.80         97.03         81.07
像高Y               21.63         21.63         21.63
レンズ全長         170.4987      161.6292      159.1378
[可変間隔データ]          広角          中間          望遠
撮影距離                ∞            ∞            ∞
d11               32.3080       15.6765        2.3000
d17                8.1224        8.5095        9.1277
BF               38.6987       46.0737       56.3406
[レンズ群データ]
群             始面          焦点距離
G1               1           -24.8989
G2              12            75.4190
G3              18            56.1428
【０１２９】
数値実施例3
単位：mm
[面データ]
面番号        r               d              nd             vd            θgF
1*        154.6834         3.9000        1.69350          53.18         0.5482
2          30.3644         7.9831
3          39.4938         2.0247        2.00100          29.13         0.5994
4          23.8926         9.0095
5*         28.4284         2.0000        1.59201          67.02         0.5357
6*         20.9903         8.6843
7         480.6117         2.0128        1.43700          95.10         0.5334
8          47.9992         5.8619
9        -112.2082         1.2000        1.43700          95.10         0.5334
10          34.3368         6.3657        1.90043          37.37         0.5772
11        2204.8696            d11
12          37.1175         1.0000        1.92286          20.88         0.6388
13          20.5695         5.8857        1.67300          38.15         0.5754
14         434.0595         9.2452
15(絞り)         ∞         1.3757
16          45.1233         5.4759        1.84666          23.78         0.6191
17         -27.1517         0.8000        1.95375          32.32         0.5901
18          58.8088            d18
19          39.2551         1.0000        1.74330          49.22         0.5494
20          19.0965         8.4848        1.49700          81.61         0.5388
21         978.9815         0.1500
22          26.8434         6.0857        1.43700          95.10         0.5334
23         -37.4630         0.1500
24        1128.2753         1.0000        1.95375          32.32         0.5901
25          21.4176         5.4786        1.55332          71.68         0.5402
26*        -97.8741             BF
像面             ∞
[非球面データ]
1面            5面           6面           26面
K    0.00000E+00    0.00000E+00    0.00000E+00    0.00000E+00
A3    0.00000E+00    2.08081E-04    2.18194E-04    0.00000E+00
A4    8.62012E-06   -5.33936E-05   -5.02123E-05    1.32837E-05
A5    0.00000E+00   -4.52285E-06   -5.88310E-06    0.00000E+00
A6   -7.78259E-09    5.50435E-07    7.11981E-07    7.04670E-09
A7    0.00000E+00    1.33368E-08    3.05758E-08    0.00000E+00
A8    7.34095E-12   -3.30719E-09   -7.75545E-09    4.76907E-11
A9    0.00000E+00    4.30589E-11    3.38968E-10    0.00000E+00
A10   -3.82021E-15    1.05942E-11    3.68973E-12    5.59042E-14
A11    0.00000E+00   -5.54934E-13   -5.47834E-13    0.00000E+00
A12    8.65616E-19    8.29031E-15    8.53976E-15    0.00000E+00
A13    0.00000E+00    0.00000E+00    0.00000E+00    0.00000E+00
A14    0.00000E+00    0.00000E+00    0.00000E+00    0.00000E+00
A15    0.00000E+00    0.00000E+00    0.00000E+00    0.00000E+00
A16    0.00000E+00    0.00000E+00    0.00000E+00    0.00000E+00
[各種データ]
ズーム比              1.60
広角           中間           望遠
焦点距離             14.50          17.97          23.15
Fナンバー              2.93           2.93           2.93
全画角2ω            112.84         100.16          85.54
像高Y               21.63          21.63          21.63
レンズ全長         167.6000       160.4097       157.0996
[可変間隔データ]          広角           中間           望遠
撮影距離                ∞             ∞             ∞
d11               27.3304        14.0936         1.6000
d18                6.4062         6.5555         6.8641
BF               38.6900        44.5872        53.4620
[レンズ群データ]
群            始面            焦点距離
G1              1             -24.1799
G2             12              83.1469
G3             19              48.3122
【０１３０】
数値実施例4
単位：mm
[面データ]
面番号        r               d              nd             vd            θgF
1*        114.3376         3.9000        1.69350          53.18         0.5482
2          30.6621         7.2098
3          39.2727         3.2643        1.95375          32.32         0.5901
4          23.7705         8.7484
5*         50.0000         2.0000        1.59201          67.02         0.5357
6*         28.6673        10.4377
7        -126.8602         1.4000        1.49700          81.61         0.5388
8          56.5051         5.5901
9        -927.9616         1.5621        1.43700          95.10         0.5334
10          35.9671         6.8968        1.88300          40.80         0.5654
11       -6088.9778            d11
12          33.1966         0.8000        1.95375          32.32         0.5901
13          17.7452         5.6887        1.72047          34.71         0.5834
14         223.8485            d14
15(絞り)         ∞         1.0000
16          23.9657         0.8000        1.95375          32.32         0.5901
17          15.3254         4.6767        1.54814          45.82         0.5698
18          42.4049            d18
19          66.1538         4.3148        1.43700          95.10         0.5334
20         -34.1204         1.0000        1.77250          49.62         0.5503
21        -161.0313         0.1500
22          38.0558         6.3863        1.43700          95.10         0.5334
23         -26.4538         0.1500
24        -134.3018         1.0000        1.80420          46.50         0.5572
25          23.5089         5.2771        1.55332          71.68         0.5402
26*        -90.2408             BF
像面             ∞
[非球面データ]
1面            5面           6面           26面
K    0.00000E+00    0.00000E+00    0.00000E+00    0.00000E+00
A3    0.00000E+00    4.16819E-04    4.29202E-04    0.00000E+00
A4    7.67557E-06   -7.20698E-05   -6.03652E-05    1.68795E-05
A5    0.00000E+00   -1.19358E-06   -3.02916E-06    0.00000E+00
A6   -7.02238E-09    6.12973E-07    8.07133E-07    7.81488E-09
A7    0.00000E+00    8.95243E-09    3.18329E-08    0.00000E+00
A8    6.20042E-12   -3.66723E-09   -8.50569E-09    9.51547E-11
A9    0.00000E+00    3.81974E-11    3.31160E-10    0.00000E+00
A10   -3.05230E-15    1.12043E-11    4.56152E-12   -6.61452E-14
A11    0.00000E+00   -5.16618E-13   -5.08778E-13    0.00000E+00
A12    6.99397E-19    6.85954E-15    7.71052E-15    0.00000E+00
A13    0.00000E+00    0.00000E+00    0.00000E+00    0.00000E+00
A14    0.00000E+00    0.00000E+00    0.00000E+00    0.00000E+00
A15    0.00000E+00    0.00000E+00    0.00000E+00    0.00000E+00
A16    0.00000E+00    0.00000E+00    0.00000E+00    0.00000E+00
[各種データ]
ズーム比              1.60
広角           中間           望遠
焦点距離             14.50          17.93          23.15
Fナンバー              2.93           2.93           2.93
全画角2ω            112.81         100.46          85.54
像高Y               21.63          21.63          21.63
レンズ全長         163.4129       156.1406       152.9133
[可変間隔データ]          広角           中間           望遠
撮影距離                ∞             ∞             ∞
d11               27.1199        14.0871         1.6036
d14               10.4883        10.6028        11.0162
d18                4.8619         4.8442         5.0283
BF               38.6900        44.3537        53.0124
[レンズ群データ]
群            始面            焦点距離
G1              1             -24.4632
G2             12              78.5816
G3             15             631.7360
G4             19              54.5935
【０１３１】
数値実施例5
単位：mm
[面データ]
面番号        r               d              nd             vd            θgF
1          52.1092         4.8080        1.95375          32.32         0.5901
2          31.8452         8.8663
3*        107.0916         3.7780        1.82130          42.72         0.5648
4          24.5161         9.0026
5*         31.8063         2.1000        1.59201          67.02         0.5357
6*         20.9835        17.6333
7         -56.0497         1.2000        1.43700          95.10         0.5334
8          41.1168         5.6807        1.91082          35.25         0.5821
9       -1509.7230             d9
10          82.0094         0.8000        1.92286          20.88         0.6388
11          22.1376         5.2719        1.65412          39.68         0.5737
12        -305.5456         0.1500
13          34.8629         6.1721        1.85478          24.80         0.6122
14         -29.1188         0.8000        1.80450          39.63         0.5713
15          56.5094            d15
16(絞り)         ∞         2.0080
17         151.0553         4.4771        1.43700          95.10         0.5334
18         -29.2237         0.9000        1.80000          29.84         0.6017
19         -90.3766         0.1500
20          40.0783         0.9000        1.69680          55.46         0.5425
21          15.8605         5.3488        1.51742          52.15         0.5589
22          72.7024         0.1500
23          25.3887         6.1871        1.43700          95.10         0.5334
24         -34.0456         0.1500
25        -186.3820         0.9000        1.88300          40.80         0.5654
26          18.3397         7.1314        1.55332          71.68         0.5402
27*        -44.0888             BF
像面             ∞
[非球面データ]
3面            5面           6面           27面
K    0.00000E+00    0.00000E+00    0.00000E+00    0.00000E+00
A3    0.00000E+00    2.76302E-04    2.95017E-04    0.00000E+00
A4    1.88099E-05   -6.36072E-05   -4.96673E-05    9.07033E-06
A5    0.00000E+00   -4.10024E-06   -6.11196E-06    0.00000E+00
A6   -3.15958E-08    5.45506E-07    7.95872E-07   -1.64031E-08
A7    0.00000E+00    4.10499E-08    5.56977E-08    0.00000E+00
A8    5.29484E-11   -5.43102E-09   -9.95605E-09    1.32708E-10
A9    0.00000E+00    2.66055E-12    2.30627E-10    0.00000E+00
A10   -5.04010E-14    1.90383E-11    2.15841E-11   -9.95229E-13
A11    0.00000E+00   -8.34358E-13   -1.28107E-12    0.00000E+00
A12    2.07942E-17    1.11731E-14    1.90225E-14    0.00000E+00
A13    0.00000E+00    0.00000E+00    0.00000E+00    0.00000E+00
A14    0.00000E+00    0.00000E+00    0.00000E+00    0.00000E+00
A15    0.00000E+00    0.00000E+00    0.00000E+00    0.00000E+00
A16    0.00000E+00    0.00000E+00    0.00000E+00    0.00000E+00
[各種データ]
ズーム比              1.60
広角           中間           望遠
焦点距離             14.50          18.00          23.15
Fナンバー              2.93           2.93           2.93
全画角2ω            112.80         100.11          85.57
像高Y               21.63          21.63          21.63
レンズ全長         169.4995       162.1805       158.7995
[可変間隔データ]          広角           中間           望遠
撮影距離                ∞             ∞             ∞
d9               27.1772        13.9158         1.6000
d15                8.5574         8.8335         9.3589
BF               39.1995        44.8658        53.2753
[レンズ群データ]
群            始面            焦点距離
G1              1             -24.7062
G2             10              68.8069
G3             16              57.3386
【０１３２】
数値実施例6
単位：mm
[面データ]
面番号       r               d              nd             vd            θgF
1         49.5057         3.9000        1.69350          53.18         0.5482
2*        23.1603         9.1311
3         39.9236         2.5724        2.00100          29.13         0.5994
4         23.5703         9.7619
5*        44.2696         2.0500        1.58913          61.25         0.5373
6*        25.9149         7.2882
7        114.7566         1.4000        1.55032          75.50         0.5400
8         46.6765         7.2734
9        -81.4221         1.3372        1.43700          95.10         0.5334
10         36.1207         6.1183        1.90043          37.37         0.5772
11       -765.5596            d11
12         55.4062         0.8000        1.92286          20.88         0.6388
13         21.1586         4.5477        1.72047          34.71         0.5834
14        160.0215         0.1500
15         41.2952         5.4899        1.85478          24.80         0.6122
16        -33.7104         0.8000        1.87071          40.73         0.5682
17         89.5487            d17
18(絞り)        ∞         1.2418
19         61.0965         1.5199        1.83481          42.72         0.5648
20         22.7717         8.6494        1.43700          95.10         0.5334
21        -22.7717         0.9000        1.88300          40.80         0.5654
22        -56.1361         0.1500
23         30.5695         6.6337        1.43700          95.10         0.5334
24        -38.9761         0.1500
25         33.4703         0.9000        1.88300          40.80         0.5654
26         17.0954         5.2166        1.49700          81.61         0.5388
27         41.0427         2.9591
28*       -64.7581         2.5321        1.55332          71.68         0.5402
29*       -34.3678             BF
像面            ∞
[非球面データ]
2面            5面           6面           28面          29面
K   -5.38326E-01    0.00000E+00    0.00000E+00    0.00000E+00    0.00000E+00
A3    0.00000E+00    6.23983E-05    7.45979E-05    0.00000E+00    0.00000E+00
A4   -1.47858E-06   -6.78103E-07    2.20847E-06    1.96574E-06    1.19944E-05
A5    0.00000E+00    3.75543E-06    2.25795E-06    0.00000E+00    0.00000E+00
A6   -1.03757E-09   -7.37748E-07   -3.27007E-07    2.04388E-07    1.95042E-07
A7    0.00000E+00    9.41217E-08    5.38509E-08    0.00000E+00    0.00000E+00
A8    6.94539E-12   -6.19206E-09   -4.85114E-09   -2.16273E-09   -2.16965E-09
A9    0.00000E+00    3.07913E-11    1.28040E-11    0.00000E+00    0.00000E+00
A10   -2.36115E-14    1.64150E-11    1.91456E-11    5.14633E-12    1.28927E-11
A11    0.00000E+00   -7.28276E-13   -9.15573E-13    0.00000E+00    0.00000E+00
A12    1.69103E-17    8.90836E-15    1.15990E-14    7.82172E-14   -3.21536E-14
A13    0.00000E+00   -9.43366E-18    5.64916E-17    0.00000E+00    0.00000E+00
A14   -5.46881E-21   -5.53656E-19    1.03554E-18   -7.72859E-16   -1.05121E-16
A15    0.00000E+00    2.11516E-19    2.05554E-22    0.00000E+00    0.00000E+00
A16    0.00000E+00   -5.51902E-21   -1.62860E-21    1.93621E-18    4.64700E-19
[各種データ]
ズーム比              1.60
広角           中間           望遠
焦点距離             14.50          17.95          23.15
Fナンバー              2.93           2.93           2.93
全画角2ω            112.85         100.34          85.54
像高Y               21.63          21.63          21.63
レンズ全長         169.8000       162.2171       158.3000
[可変間隔データ]          広角           中間           望遠
撮影距離                ∞             ∞             ∞
d11               29.0442        15.3570         2.3000
d17                8.4330         8.9636         9.6079
BF               38.8500        44.4237        52.9193
[レンズ群データ]
群            始面            焦点距離
G1              1             -25.2775
G2             12              72.5466
G3             18              54.9831
【０１３３】
数値実施例7
単位：mm
[面データ]
面番号       r               d              nd             vd            θgF
1*       116.6054         3.9000        1.69350          53.18         0.5482
2         29.9340         8.1297
3         39.4443         1.9050        1.95375          32.32         0.5901
4         23.3015         8.6770
5*        28.1280         2.0000        1.59201          67.02         0.5357
6*        21.6520         8.0980
7        146.0602         1.4000        1.55032          75.50         0.5400
8         45.0057         8.7877
9       -102.9846         1.2000        1.43700          95.10         0.5334
10         36.6969         5.8186        1.90043          37.37         0.5772
11       1744.0654            d11
12         48.8616         1.4143        1.92286          20.88         0.6388
13         20.8294         5.0662        1.61340          44.27         0.5633
14        857.6578         0.1500
15         33.7417         5.6943        1.85478          24.80         0.6122
16        -37.7976         0.8000        1.83481          42.72         0.5648
17         48.5499            d17
18(絞り)        ∞         1.2421
19         43.4508         1.0000        1.90043          37.37         0.5772
20         17.1270         6.5786        1.59282          68.63         0.5441
21        -65.6918         2.4758
22        -49.6095         3.4969        1.92286          20.88         0.6388
23        -19.9182         0.8000        1.85478          24.80         0.6122
24       -268.5700         0.9500
25         28.8985         6.6576        1.43700          95.10         0.5334
26        -29.7504         0.1500
27       -442.4901         1.0000        1.88300          40.80         0.5654
28         21.8911         5.6115        1.55332          71.68         0.5402
29*       -85.5070             BF
像面            ∞
[非球面データ]
1面            5面           6面           29面
K    0.00000E+00    0.00000E+00    0.00000E+00    0.00000E+00
A3    0.00000E+00    3.65137E-04    3.85493E-04    0.00000E+00
A4    7.35574E-06   -5.72930E-05   -5.56407E-05    1.33924E-05
A5    0.00000E+00   -3.98233E-06   -5.36572E-06    0.00000E+00
A6   -6.26075E-09    5.09837E-07    6.16032E-07    1.36546E-08
A7    0.00000E+00    2.85221E-08    5.73517E-08    0.00000E+00
A8    6.13055E-12   -4.86601E-09   -9.64908E-09    2.07497E-11
A9    0.00000E+00    3.45181E-11    2.33288E-10    0.00000E+00
A10   -3.14228E-15    1.75342E-11    2.07800E-11    2.95236E-13
A11    0.00000E+00   -8.55084E-13   -1.23558E-12    0.00000E+00
A12    7.08950E-19    1.22734E-14    1.81250E-14    0.00000E+00
A13    0.00000E+00    0.00000E+00    0.00000E+00    0.00000E+00
A14    0.00000E+00    0.00000E+00    0.00000E+00    0.00000E+00
A15    0.00000E+00    0.00000E+00    0.00000E+00    0.00000E+00
A16    0.00000E+00    0.00000E+00    0.00000E+00    0.00000E+00
[各種データ]
ズーム比              1.60
広角           中間           望遠
焦点距離             14.50          17.98          23.15
Fナンバー              2.93           2.93           2.93
全画角2ω            112.81         100.10          85.54
像高Y               21.63          21.63          21.63
レンズ全長         167.7000       160.4479       157.1000
[可変間隔データ]          広角           中間           望遠
撮影距離                ∞             ∞             ∞
d11               27.3659        14.0702         1.6000
d17                8.6407         8.8988         9.3577
BF               38.6900        44.4753        53.1388
[レンズ群データ]
群            始面            焦点距離
G1              1             -24.4766
G2             12              73.4034
G3             18              54.0995
【０１３４】
数値実施例8
単位：mm
[面データ]
面番号        r              d             nd            vd           θgF
1*        275.8430        3.9000       1.69350         53.18        0.5482
2          28.7735       12.3555
3          67.3246        1.8000       2.00100         29.13        0.5994
4          28.2408        6.0534
5*         33.7160        2.0500       1.58913         61.25        0.5373
6*         25.7254        8.4599
7        -115.0766        1.4000       1.43700         95.10        0.5334
8          70.1383        4.5741
9        -520.1753        1.2000       1.43700         95.10        0.5334
10          33.4461        6.9138       1.83400         37.34        0.5789
11        -520.0000           d11
12          68.9987        0.8000       1.92286         20.88        0.6388
13          20.5327        4.5894       1.73800         32.26        0.5899
14        -478.0209        1.6620
15          27.1739        5.2768       1.85478         24.80        0.6122
16         -29.5798        0.8000       1.90043         37.37        0.5772
17          35.7896           d17
18(絞り)         ∞        1.0418
19          38.1804        0.9000       1.77250         49.62        0.5503
20          14.4643        7.2928       1.43700         95.10        0.5334
21         -19.4687        0.9000       1.90043         37.37        0.5772
22         -48.1377        3.2760
23          43.7821        6.2684       1.43700         95.10        0.5334
24         -24.6919        0.1500
25          33.1191        0.9000       1.88300         40.80        0.5654
26          15.9998        5.4040       1.43700         95.10        0.5334
27          44.0135        2.5311
28*        -73.6731        3.2172       1.55332         71.68        0.5402
29*        -30.9629            BF
像面             ∞
[非球面データ]
1面            5面           6面           28面          29面
K    0.00000E+00    0.00000E+00    0.00000E+00    0.00000E+00    0.00000E+00
A3    0.00000E+00    7.84512E-05    7.32147E-05    0.00000E+00    0.00000E+00
A4    1.07275E-05   -8.02997E-05   -7.25805E-05    9.28941E-06    1.29942E-05
A5    0.00000E+00    5.41727E-06    4.40479E-06    0.00000E+00    0.00000E+00
A6   -1.20782E-08   -5.98634E-07   -2.88769E-07   -1.40624E-07   -1.92819E-07
A7    0.00000E+00    9.33168E-08    5.81083E-08    0.00000E+00    0.00000E+00
A8    1.20150E-11   -6.32506E-09   -4.81038E-09    2.52696E-09    3.22374E-09
A9    0.00000E+00    2.87527E-11    5.33248E-12    0.00000E+00    0.00000E+00
A10   -6.51396E-15    1.64747E-11    1.85187E-11   -4.54710E-12   -2.42206E-11
A11    0.00000E+00   -7.26490E-13   -9.11252E-13    0.00000E+00    0.00000E+00
A12    1.55285E-18    9.09393E-15    1.21936E-14   -1.58776E-13    8.35111E-14
A13    0.00000E+00   -1.65077E-17    7.91375E-17    0.00000E+00    0.00000E+00
A14    0.00000E+00   -6.43174E-19    1.79421E-18    1.26700E-15   -1.03740E-16
A15    0.00000E+00    2.01733E-19   -9.15134E-20    0.00000E+00    0.00000E+00
A16    0.00000E+00   -4.97773E-21   -3.93779E-22   -2.81649E-18   -3.00780E-20
[各種データ]
ズーム比                 -
INF
焦点距離             12.42
Fナンバー              2.93
全画角2ω            120.49
像高Y               21.63
レンズ全長         169.4000
[可変間隔データ]           INF           40倍          最短
撮影距離                ∞       545.0000      100.6000
d11               28.9667       29.8532       32.8954
d17                7.8670        6.9805        3.9383
BF               38.8500       38.8500       38.8500
[レンズ群データ]
群             始面           焦点距離
G1               1            -22.2038
G2              12             72.9259
G3              18             49.1752
【０１３５】
数値実施例9
単位：mm
[面データ]
面番号        r               d              nd             vd            θgF
1*        415.6437         3.9000        1.69350          53.18         0.5482
2          28.1784         3.8345
3          30.9608         1.8365        1.95375          32.32         0.5901
4          24.2612        10.1332
5*        100.0000         2.0000        1.59201          67.02         0.5357
6*         38.8882         7.0188
7          98.3230         1.4000        1.49700          81.61         0.5388
8          39.6113         6.7786
9         -64.6815         5.3939        1.43700          95.10         0.5334
10          35.4990         6.0489        1.78590          43.93         0.5611
11        -205.4710            d11
12          35.4170         0.8000        2.00100          29.13         0.5994
13          23.1660         5.4771        1.67270          32.17         0.5962
14        -638.3671            d14
15(絞り)         ∞            d15
16         301.5698         1.9501        1.84666          23.78         0.6191
17        -231.3926         0.8000        2.00100          29.13         0.5994
18          51.7949            d18
19          31.6975         9.3392        1.55032          75.50         0.5400
20         -19.7715         0.9000        1.83481          42.72         0.5648
21         -67.7788         0.1500
22          24.6122         0.9000        1.78590          43.93         0.5611
23          15.7556         9.6964        1.51742          52.15         0.5589
24         -30.7009         0.1500
25         -56.0020         1.0000        1.77250          49.62         0.5503
26          18.2317         7.8953        1.55332          71.68         0.5402
27*        -48.1840             BF
像面             ∞
[非球面データ]
1面            5面           6面           27面
K    0.00000E+00    0.00000E+00    0.00000E+00    0.00000E+00
A3    0.00000E+00   -1.66524E-04   -1.69724E-04    0.00000E+00
A4    1.17246E-05    9.15592E-05    1.12933E-04    1.48602E-05
A5    0.00000E+00   -1.18140E-05   -1.36445E-05    0.00000E+00
A6   -1.38393E-08    6.39228E-07    8.17127E-07   -2.15627E-08
A7    0.00000E+00    2.59521E-08    5.08941E-08    0.00000E+00
A8    1.35845E-11   -3.91160E-09   -9.30187E-09    2.90979E-10
A9    0.00000E+00    2.74075E-11    3.49789E-10    0.00000E+00
A10   -7.70036E-15    1.11080E-11    5.45443E-12   -1.45558E-12
A11    0.00000E+00   -4.84670E-13   -5.03534E-13    0.00000E+00
A12    1.85765E-18    5.98266E-15    4.90648E-15    0.00000E+00
A13    0.00000E+00    0.00000E+00    0.00000E+00    0.00000E+00
A14    0.00000E+00    0.00000E+00    0.00000E+00    0.00000E+00
A15    0.00000E+00    0.00000E+00    0.00000E+00    0.00000E+00
A16    0.00000E+00    0.00000E+00    0.00000E+00    0.00000E+00
[各種データ]
ズーム比              1.60
広角           中間           望遠
焦点距離             14.50          17.90          23.15
Fナンバー              2.93           2.93           2.93
全画角2ω            112.86         100.43          85.54
像高Y               21.63          21.63          21.63
レンズ全長         164.8197       158.0051       154.3201
[可変間隔データ]          広角           中間           望遠
撮影距離                ∞             ∞             ∞
d11               28.3955        14.9411         1.6000
d14                2.0238         3.3538         4.5197
d15                7.3982         7.3982         7.3982
d18                0.9093         0.9093         0.9093
BF               38.6902        44.0001        52.4902
[レンズ群データ]
群            始面            焦点距離
G1              1             -25.5096
G2             12              65.5978
G3             15              63.0148
【０１３６】
また、［条件式対応値］には、各条件式に対応する各実施例の対応値の一覧を示す。
【０１３７】
［条件式対応値］
条件式１  条件式２  条件式３  条件式４  条件式５    条件式６
実施例     ndLS1   DSA2/DG1   ndLS2    μΔθ1   μΔθ2  √（fw×ft）/f1
1       2.0010    0.4850    1.9004    0.0165    0.0429     -0.7244
2       2.0509    0.4188    1.9538    0.0228    0.0383     -0.7662
3       2.0010    0.4673    1.9004    0.0240    0.0322     -0.7578
4       1.9538    0.4533    1.8830    0.0195    0.0345     -0.7489
5       1.9538    0.4985    1.9108    0.0145    0.0346     -0.7416
6       2.0010    0.4990    1.9004    0.0165    0.0429     -0.7248
7       1.9538    0.4530    1.9004    0.0176    0.0313     -0.7485
8       2.0010    0.4950    1.8340    0.0223    0.0476     -0.5595
9       1.9538    0.4076    1.7859    0.0195    0.0168     -0.7182
【符号の説明】
【０１３８】
Ｓ：開口絞り
Ｉ：像面
Ｇ１：第１レンズ群
ＧＲ：後続レンズ群
Ｇ２：第２レンズ群
Ｇ３：第３レンズ群
Ｇ４：第４レンズ群
Ｃ  Ｃ線（波長λ＝６５６．３ｎｍ）
ｄ  ｄ線（波長λ＝５８７．６ｎｍ）
ｇ  ｇ線（波長λ＝４３５．８ｎｍ）
Ｙ  像高
ΔＳ  サジタル像面
ΔＭ  メジオナル像面
ＬＳ１    第１レンズ群Ｇ１に含まれる負の屈折力を有するレンズ
ＬＳ２    第１レンズ群Ｇ１に含まれる正の屈折力を有するレンズ
ＳＡ１    第１レンズ群Ｇ１に含まれる第１非球面
ＳＡ２    第１レンズ群Ｇ１に含まれる第２非球面
【図１】
2018189733.tif 000004
【図２】
2018189733.tif 000005
【図３】
2018189733.tif 000006
【図４】
2018189733.tif 000007
【図５】
2018189733.tif 000008
【図６】
2018189733.tif 000009
【図７】
2018189733.tif 000010
【図８】
2018189733.tif 000011
【図９】
2018189733.tif 000012
【図１０】
2018189733.tif 000013
【図１１】
2018189733.tif 000014
【図１２】
2018189733.tif 000015
【図１３】
2018189733.tif 000016
【図１４】
2018189733.tif 000017
【図１５】
2018189733.tif 000018
【図１６】
2018189733.tif 000019
【図１７】
2018189733.tif 000020
【図１８】
2018189733.tif 000021
【図１９】
2018189733.tif 000022
【図２０】
2018189733.tif 000023
【図２１】
2018189733.tif 000024
【図２２】
2018189733.tif 000025
【図２３】
2018189733.tif 000026
【図２４】
2018189733.tif 000027
【図２５】
2018189733.tif 000028
【図２６】
2018189733.tif 000029
【図２７】
2018189733.tif 000030
【図２８】
2018189733.tif 000031
【図２９】
2018189733.tif 000032
【図３０】
2018189733.tif 000033
【図３１】
2018189733.tif 000034
【図３２】
2018189733.tif 000035
【図３３】
2018189733.tif 000036
【図３４】
2018189733.tif 000037
【図３５】
2018189733.tif 000038
【図３６】
2018189733.tif 000039
【図３７】
2018189733.tif 000040
【図３８】
2018189733.tif 000041
【図３９】
2018189733.tif 000042
【図４０】
2018189733.tif 000043
【図４１】
2018189733.tif 000044
【図４２】
2018189733.tif 000045
【図４３】
2018189733.tif 000046
【図４４】
2018189733.tif 000047
【図４５】
2018189733.tif 000048
【図４６】
2018189733.tif 000049
【図４７】
2018189733.tif 000050
【図４８】
2018189733.tif 000051
【図４９】
2018189733.tif 000052
【図５０】
2018189733.tif 000053
【図５１】
2018189733.tif 000054
【図５２】
2018189733.tif 000055
【図５３】
2018189733.tif 000056
【図５４】
2018189733.tif 000057
【図５５】
2018189733.tif 000058
【図５６】
2018189733.tif 000059
【図５７】
2018189733.tif 000060
【図５８】
2018189733.tif 000061
【図５９】
2018189733.tif 000062